(57)【要約】【課題】多数のユーザが使用する画像形成装置、又は複数の情報処理装置が一つの画像形成装置を共通の出力装置として使用する画像形成システムであって、稼働率の低下を招くことなく、高い機密保持ができる画像形成装置、及び画像形成システムを提供すること。【解決手段】画像形成された記録紙の破棄処理をする破棄装置と、画像形成された記録紙を収容し、収容した前記記録紙の不正取り出しを防止する施錠手段と収容した前記記録紙を前記破棄装置に送る移送手段とを備えた排紙収容装置と、前記排紙収容装置に収容した記録紙が予め設定された時間内に取り出されなかった場合、前記施錠手段を施錠状態として、前記記録紙を前記排紙収容装置から前記破棄装置に送るように前記移送手段を制御する制御手段と、を有することを特徴とする画像形成装置の提供。【選択図】図１
2007296689.tif 000002
【特許請求の範囲】
【請求項１】
画像形成された記録紙の破棄処理をする破棄装置と、
画像形成された記録紙を収容し、収容した前記記録紙の不正取り出しを防止する施錠手段、及び収容した前記記録紙を前記破棄装置に送る移送手段を備えた排紙収容装置と、
前記排紙収容装置に収容した記録紙が予め設定された時間内に取り出されなかった場合、前記施錠手段を施錠状態として、前記記録紙を前記排紙収容装置から前記破棄装置に送るように前記移送手段を制御する制御手段と、
を有することを特徴とする画像形成装置。
【請求項２】
画像形成された記録紙の破棄処理をする破棄装置、
及び、画像形成された記録紙を収容し、収容した前記記録紙の不正取り出しを防止する施錠手段と収容した前記記録紙を前記破棄装置に送る移送手段とを備えた排紙収容装置、
と接続される画像形成装置であって、
前記排紙収容装置に収容した記録紙が予め設定された時間内に取り出されなかった場合、前記施錠手段を施錠状態として、前記記録紙を前記排紙収容装置から前記破棄装置に送るように前記移送手段を制御する制御手段を有することを特徴とする画像形成装置。
【請求項３】
前記破棄装置は、記録紙を細断し、細断した記録紙を収容するものであることを特徴とする請求項１、又は２に記載の画像形成装置。
【請求項４】
画像形成装置に、
画像形成された記録紙の破棄処理をする破棄装置、
及び、画像形成された記録紙を収容し、収容した前記記録紙の不正取り出しを防止する施錠手段と収容した前記記録紙を前記破棄装置に送る移送手段とを備えた排紙収容装置、
が接続された画像形成システムであって、
前記画像形成装置は、前記排紙収容装置に収容した記録紙が予め設定された時間内に取り出されなかった場合、前記施錠手段を施錠状態として、前記記録紙を前記排紙収容装置から前記破棄装置に送るように前記移送手段を制御する制御手段を有することを特徴とする画像形成システム。
【請求項５】
前記破棄装置は、記録紙を細断し、細断した記録紙を収容するものであることを特徴とする請求項４に記載の画像形成システム。
【請求項６】
請求項１〜３のいずれか１項に記載する画像形成装置又は請求項４に記載する画像形成システムと情報処理装置とが通信手段により接続された画像形成システムであって、
前記制御手段は、
前記排紙収容装置から前記記録紙が予め設定した第１の設定時間内に取り出されなかった場合、前記情報処理装置に、前記記録紙を第２の設定時間後に破棄する旨を伝える警告情報を送信することを特徴とする画像形成システム。
【請求項７】
前記制御手段は、
前記警告情報を送信した後、前記第２の設定時間が経過しても、前記記録紙が前記排紙収容装置から取り出されなかった場合、
前記排紙収容装置に収容されている前記記録紙を前記破棄装置に送るように前記移送手段を制御することを特徴とする請求項６に記載の画像形成システム。
【請求項８】
前記制御手段は、
前記排紙収容装置に収容されている前記記録紙を前記破棄装置に送ったときに、前記記録紙を破棄した旨を知らせる情報を前記情報処理装置に送ることを特徴とする請求項６又は７に記載の画像形成システム。
【請求項９】
前記制御手段は、
前記警告情報を送信した後、前記記録紙の破棄処理を中止する指示情報を前記情報処理装置から受信した場合、前記記録紙の破棄処理を中止するように、前記排紙収容装置、および前記破棄装置を制御することを特徴とする請求項６〜８のいずれか１項に記載の画像形成システム。
【発明の詳細な説明】
【技術分野】
【０００１】
本発明は、画像形成後の記録紙の破棄処理が可能な画像形成装置、及び画像形成システムに関する。
【背景技術】
【０００２】
情報処理装置と画像形成装置とが接続された画像形成システム、例えば、複数のパーソナルコンピュータと画像形成装置とが通信手段により接続された画像形成システムは、広く一般に使用されているシステムである。
【０００３】
特に、オフィスにおいて、このようなシステムは多用されており、画像形成装置は多数の人によって共有される出力装置となっている。従って、画像形成装置の排紙部に排出された画像形成後の記録紙（機密書類）は、常時、関係者以外の人によって覗き見られる、又は持ち去られるという危険にさらされている。
【０００４】
このような危険を避けるための提案としては、複数の排出トレイを備えたネットワーク型印刷システムにおいて、若干の排出トレイにキーロックを施し、ホストが発信するＩＤコードによって所定のトレイの解錠をするという提案（例えば、特許文献１参照。）や、識別情報を印刷データに付与して印刷を行い、情報処理装置、又は画像形成装置からの指示情報によって、印刷物を収容した印刷物収容部の所定の扉の開閉を自動的に行うことによって印刷物の取り出しを管理するという提案（例えば、特許文献２参照。）が知られている。
【０００５】
また、印刷装置にユーザの在、不在を検知する検知手段を設けて、ユーザが印刷装置から離れた場合には装置の作動を停止させると共に、既に印刷を終え排紙トレイ上にある書類を破棄するという提案もある（例えば、特許文献３参照。）。
【０００６】
しかしながら、特許文献１、又は２に記載される提案では、出力された印刷物が排紙トレイに長時間放置されると、次の機密書類の出力ができないという不便をユーザにもたらすと共に、装置の稼働率を低下させるという不都合を生ずる。また、特許文献３に記載される提案では、使用者は常に印刷装置の近くにいなければならないという前提条件が、実際のオフィスで使用されるシステムや、オフィスの作業形態に適合しないことも多い。
【特許文献１】特開平２−１８６４２９号公報
【特許文献２】特開２０００−１９０６００号公報
【特許文献３】特開２００２−３２１４２９号公報
【発明の開示】
【発明が解決しようとする課題】
【０００７】
本発明は、上述したような状況に鑑みてなされたもので、その目的は、多数のユーザが使用する画像形成装置、又は複数の情報処理装置が一つの画像形成装置を共通の出力装置として使用する画像形成システムであって、稼働率の低下を招くことなく、高い機密保持ができる画像形成装置、及び画像形成システムを提供することにある。
【課題を解決するための手段】
【０００８】
上記課題は、以下の発明を実現することにより達成される。
１．画像形成された記録紙の破棄処理をする破棄装置と、
画像形成された記録紙を収容し、収容した前記記録紙の不正取り出しを防止する施錠手段、及び収容した前記記録紙を前記破棄装置に送る移送手段を備えた排紙収容装置と、
前記排紙収容装置に収容した記録紙が予め設定された時間内に取り出されなかった場合、前記施錠手段を施錠状態として、前記記録紙を前記排紙収容装置から前記破棄装置に送るように前記移送手段を制御する制御手段と、
を有することを特徴とする画像形成装置。
２．画像形成された記録紙の破棄処理をする破棄装置、
及び、画像形成された記録紙を収容し、収容した前記記録紙の不正取り出しを防止する施錠手段と収容した前記記録紙を前記破棄装置に送る移送手段とを備えた排紙収容装置、
と接続される画像形成装置であって、
前記排紙収容装置に収容した記録紙が予め設定された時間内に取り出されなかった場合、前記施錠手段を施錠状態として、前記記録紙を前記排紙収容装置から前記破棄装置に送るように前記移送手段を制御する制御手段を有することを特徴とする画像形成装置。
３．前記破棄装置は、記録紙を細断し、細断した記録紙を収容するものであることを特徴とする１、又は２項に記載の画像形成装置。
４．画像形成装置に、
画像形成された記録紙の破棄処理をする破棄装置、
及び、画像形成された記録紙を収容し、収容した前記記録紙の不正取り出しを防止する施錠手段と収容した前記記録紙を前記破棄装置に送る移送手段とを備えた排紙収容装置、
が接続された画像形成システムであって、
前記画像形成装置は、前記排紙収容装置に収容した記録紙が予め設定された時間内に取り出されなかった場合、前記施錠手段を施錠状態として、前記記録紙を前記排紙収容装置から前記破棄装置に送るように前記移送手段を制御する制御手段を有することを特徴とする画像形成システム。
５．前記破棄装置は、記録紙を細断し、細断した記録紙を収容するものであることを特徴とする４項に記載の画像形成システム。
６．１〜３項のいずれか１項に記載する画像形成装置又は４項に記載する画像形成システムと情報処理装置とが通信手段により接続された画像形成システムであって、
前記制御手段は、
前記排紙収容装置から前記記録紙が予め設定した第１の設定時間内に取り出されなかった場合、前記情報処理装置に、前記記録紙を第２の設定時間後に破棄する旨を伝える警告情報を送信することを特徴とする画像形成システム。
７．前記制御手段は、
前記警告情報を送信した後、前記第２の設定時間が経過しても、前記記録紙が前記排紙収容装置から取り出されなかった場合、
前記排紙収容装置に収容されている前記記録紙を前記破棄装置に送るように前記移送手段を制御することを特徴とする６項に記載の画像形成システム。
８．前記制御手段は、
前記排紙収容装置に収容されている前記記録紙を前記破棄装置に送ったときに、前記記録紙を破棄した旨を知らせる情報を前記情報処理装置に送ることを特徴とする６又は７項に記載の画像形成システム。
９．前記制御手段は、
前記警告情報を送信した後、前記記録紙の破棄処理を中止する指示情報を前記情報処理装置から受信した場合、前記記録紙の破棄処理を中止するように、前記排紙収容装置、および前記破棄装置を制御することを特徴とする６〜８項のいずれか１項に記載の画像形成システム。
【発明の効果】
【０００９】
本発明により、多数のユーザにより使用される画像形成装置、あるいは複数の情報処理装置と画像形成装置からなる画像形成システムにより作成された書類が、書類の収容装置から不正に取り出されることが防止され、また、機密書類が収容装置に長時間放置されることによって高まる機密漏洩の危険と、画像形成装置の稼働率の低下によりユーザが抱く不満の高まりとが防止される。
【発明を実施するための最良の形態】
【００１０】
以下、本発明の実施の形態を図を基に説明する。
【００１１】
図１は、画像形成装置Ｇと、破棄装置Ｈと、排紙収容装置Ｅとが接続された画像形成システムの概念図である。
【００１２】
図１で示す画像システムは、画像形成装置Ｇと、画像形成後の記録紙Ｐを収容する排紙収容装置Ｅと、前記排紙収容装置Ｅの下方には送られた記録紙Ｐを細断する破棄装置Ｈとから構成される。また、前記画像形成システムは、単独のシステムとして多数のユーザにより共同使用されるだけでなく、通信手段を介して複数の情報処理装置との接続が可能なことから、これら複数の情報処理装置から画像や各種データを出力するための出力システムとして使用される。
【００１３】
画像形成装置Ｇは、複写機、ファクシミリ、プリンタの機能を有する、通称、複合機と呼ばれるデジタル式の画像形成装置である。
【００１４】
画像形成装置Ｇの上部には自動原稿送り装置Ｆが備えられ、その下方には、画像読取り手段１、画像書込み手段２、画像形成手段３、入力操作手段４、給紙手段５、排紙再給紙手段６、および、定着装置７、制御手段Ｃ１等が配置されている。
【００１５】
自動原稿送り装置Ｆは、原稿載置台１１に載置された原稿を原稿剥離手段１２によって一枚ずつ原稿搬送手段１３に送り出し、原稿搬送手段１３は送られた原稿を原稿排紙手段１４に搬送し、原稿排紙手段１４は送られた原稿を原稿排紙台１５に排紙する。原稿画像は原稿搬送路に設けられた、画像読取り手段１の原稿画像読み取り位置であるスリット２１にて読み取りがなされる。
【００１６】
原稿両面の画像を読み取る場合には、一対のローラを有する原稿反転手段１６によって、第１面を読み取られた原稿が表裏反転されて、再度、原稿搬送手段１３に送り出されることにより第２面の読み取りがなされる。読み取りが終了した原稿は原稿排紙台１５に排紙される。
【００１７】
画像読取り手段１は、原稿画像を読み取って画像データを得るための手段であり、スリット２１の位置にて、ランプ２３１により光照射された原稿画像を第１ミラーユニット２３と、第２ミラーユニット２４と、結像レンズ２５とによりライン状のＣＣＤである撮像素子２６に結像させている。撮像素子２６から出力された信号は、制御手段Ｃ１の画像処理部においてＡ／Ｄ変換され、シェーディング補正、画像圧縮等の処理がなされてメモリＭ１に画像データとして保存される。
【００１８】
画像書込み手段２は、メモリＭ１から呼び出されて所定の画像処理が施された画像データに基づき、レーザビームとポリゴンミラーとにより、帯電手段３２によって一様帯電されて回転している像担持体３１の表面を走査して、像担持体３１の面上に原稿画像に対応した静電潜像を形成する。
【００１９】
前記静電潜像は、画像形成手段３の現像手段３４により反転現像されて、トナー画像が像担持体３１上に形成される。
【００２０】
トナー画像形成のタイミングに対応して、手差し給紙手段５５、もしくは、記録紙Ｐを収容するカセットやトレイを有する給紙手段５からは、記録紙Ｐが給送され、搬送ローラ５６により搬送され、タイミングローラ３９によって像担持体上に形成された前記トナー画像との位置合わせのための同期が取られて転写領域に送り出される。
【００２１】
転写領域において、像担持体３１の表面に形成されたトナー画像は、転写手段３５により反対極性に帯電された記録紙Ｐに転写される。
【００２２】
トナー画像を担持した記録紙Ｐは、分離除電手段３６の作用により、像担持体３１の表面から分離し、定着装置７に送られる。
【００２３】
定着装置７において、トナー画像を担持した前記記録紙Ｐは、回転体１である加熱ローラ７１と回転体２である加圧ローラ７２とにより加熱加圧を受けながら搬送され、トナー画像が記録紙Ｐに定着されて、排出ローラ６３によって排紙収容装置Ｅに送られる。
【００２４】
なお、記録紙Ｐを表裏反転して排紙収容装置Ｅに排出する場合には、切換ガイド６２により、記録紙Ｐを排紙再給紙手段６に導き、記録紙Ｐをスイッチバックさせて排出ローラ６３に送る。
【００２５】
また、記録紙Ｐの両面に画像形成をする場合には、第１面の定着を終えた記録紙Ｐを、切換ガイド６２により排紙再給紙手段６に導き、反転部６５にて反転させた後、給紙のための搬送路６６に送り出し、第２面の画像形成に供する。
【００２６】
一方、記録紙Ｐへのトナー画像の転写を終えた像担持体３１の表面は、クリーニング手段３７により残留トナーが除去されて次なる画像形成に向けての準備がなされる。
【００２７】
なお、入力操作手段４はタッチパネルで、入力操作機能と表示機能とを合わせ持つ公知の手段である。
【００２８】
排紙収容装置Ｅは、排出ローラ６３から送り出された記録紙Ｐを収容する装置である。排出ローラ６３から送られた記録紙Ｐは、矢印ａの方向から排紙収容装置Ｅに進入して、予め、ユーザが情報処理装置Ｄ、又は画像形成装置Ｇの入力操作手段４にて設定したジョブにより、図１中の矢印ｂ、ｃで示す２つの進路が選択される。
【００２９】
進路ｂは、記録紙Ｐを排紙トレイ１０１に導く搬送路である。なお、排紙トレイ１０１は出力される記録紙Ｐの機密性がそれほど高くない場合に選択されるトレイであり、誰もが常時、排紙トレイ１０１上に排紙された記録紙Ｐを取り出すことができる。
【００３０】
進路ｃは、記録紙Ｐを排紙トレイ１０２に導く搬送路である。排紙トレイ１０２は機密保持を必要とする記録紙Ｐ（機密書類）を収容するトレイとして選択されるもので、排紙トレイ１０２から記録紙Ｐを取り出す正面の外装部には、施錠手段１２１（図１に不図示、図２に図示）を有する図中点線の四角形で示す扉１２０が設けられている。前記施錠手段は制御手段Ｃ１により施錠と解錠が制御される。ユーザは、画像形成装置Ｇの入力操作手段４、又は画像形成装置Ｇに接続されている情報処理装置から指示情報を入力することにより目的とする施錠、解錠の設定ができる。
【００３１】
排紙トレイ１０２は、支点１０３を中心にして回転可能である。移送手段１３１（図１に不図示、図２に図示）は前記排紙トレイ１０２を図の実線部から点線部の位置まで回転させ、他端のストッパ１０４を矢印ｄの方向に回転させることにより、トレイ上に載置された記録紙Ｐを、矢印ｅのように破棄装置Ｈに送る。
【００３２】
なお、排紙トレイ１０２には、トレイ上に記録紙Ｐが載置されているか否かを検知する公知の検知手段が設けられている。
【００３３】
破棄処理装置Ｈはシュレッダーで、排紙収容装置Ｅから送られた記録紙Ｐを細断する細断手段２０１、前記細断手段２０１により細断された記録紙Ｐを収容する細断用紙収容手段２０２から構成される公知の装置である。なお、細断用紙収容手段２０２は、扉２２０を開くことにより装置から取り出すことができる。
【００３４】
図２は、画像形成装置、及び画像形成システムの制御関係を示すブロック図である。
【００３５】
制御手段Ｃ１はＣＰＵ、メモリＭ１を始め、図に記されてはいないが演算ユニット、Ｉ／Ｏポート、通信用インターフェイス、駆動回路等を有するコンピュータシステムであり、図示の各手段、又は装置とは対応するＩ／Ｏポート、通信用インターフェイス、駆動回路にて接続されている。
【００３６】
また、制御手段Ｃ１による制御は、メモリＭ１に格納されている所定のプログラムが実行されることによりなされる。
【００３７】
自動原稿送り装置Ｆ、排紙収容装置Ｅ、破棄装置Ｈにも、制御手段Ｃ１に比較すると規模は小さいが、ＣＰＵを中心とした同様な制御手段が設けられており、制御手段Ｃ１とは、通信手段Ｒ１〜３にて接続されている。
【００３８】
また、制御手段Ｃ１は、通信手段Ｒ４を介して複数の情報処理装置Ｄとの情報交換を行う。
【００３９】
なお、本図では、本発明の説明に直接関係しないブロックの記載が省略されている。
【００４０】
図３は、画像形成装置Ｇに排紙収容装置Ｅ、及び破棄装置Ｈが接続された画像形成システムによる破棄処理の流れを示すフローチャートである。
【００４１】
画像形成装置Ｇのスタート釦が押されると（ステップＳ１：Ｙ）、排紙収容装置Ｅのトレイ１０２からの記録紙Ｐの取り出しを防止するために、扉１２０が施錠される（ステップＳ２）。
【００４２】
画像形成処理が終了して（ステップＳ３：Ｙ）、画像形成された記録紙Ｐが全て排紙収容装置Ｅの排紙トレイ１０２に収容されると、排紙収容装置Ｅのトレイ１０２から記録紙Ｐが取り出せるように、扉１２０の施錠が解かれる（ステップＳ４）。次いで、タイマーＴＭが計時を開始する（Ｔ＝０）（ステップＳ５）。なお、画像形成された記録紙Ｐが全て排紙収容装置Ｅの排紙トレイ１０２に収容されたか否かの判断は、排出ローラ６３の近傍に設けられた記録紙検知センサ（不図示）による検知信号を基に判断される公知の手段による。
【００４３】
タイマーＴＭの値Ｔが予め設定した値ＴＴに到達する前に、記録紙Ｐが排紙トレイ１０２から取り出される（ステップＳ６：Ｙ）、あるいは入力操作手段４から破棄処理中止の指示情報が入力されると（ステップＳ７：Ｙ）、処理ルーチンから出る。
【００４４】
一方、記録紙Ｐが排紙トレイ１０２から取り出されることなく（ステップＳ６：Ｎ）、また、入力操作手段４から破棄処理中止の指示情報が入力されずに（ステップＳ７：Ｎ）タイマーＴＭの値Ｔが予め設定した値ＴＴに到達すると（ステップＳ８：Ｙ）、制御手段Ｃ１は、排紙収容装置Ｅの施錠手段１２１を制御することにより扉１２０の施錠を行い（ステップＳ９）、また移送手段１３１を制御することにより、排紙トレイ１０２上に載置されている記録紙Ｐを破棄装置Ｈに送って（ステップＳ１０）、ルーチンを出る。
【００４５】
なお、破棄装置Ｈは、送られた前記記録紙を細断手段２０１により細断し、裁断紙収容手段２０１に収容する。
【００４６】
また、図４は、画像形成装置Ｇに情報処理装置Ｄ、排紙収容装置Ｅ、及び破棄装置Ｈが接続された画像形成システムによる破棄処理の流れを示すフローチャートである。
本発明の画像形成システムによる破棄処理の流れを示すフローチャートである。
【００４７】
画像形成装置Ｇにジョブ開始の信号が入力されると（ステップＳ１：Ｙ）、そのジョブが機密書類を出力するものであった場合には、排紙収容装置Ｅのトレイ１０２からの記録紙Ｐの取り出しを防止するために、扉１２０が施錠される（ステップＳ２）。
【００４８】
画像形成処理が終了して、画像形成された記録紙Ｐが全て排紙収容装置Ｅの排紙トレイ１０２に収容されると、タイマーＴＭが計時を開始する（Ｔ＝０）（ステップＳ５）。なお、前述したように、画像形成された記録紙Ｐが全て排紙収容装置Ｅの排紙トレイ１０２に収容されたか否かの判断は、排出ローラ６３の近傍に設けられた記録紙検知センサ（不図示）による検知信号を基に判断される公知の手段による。
【００４９】
タイマーＴＭの値Ｔが予め設定した値Ｔ１（第１の設定時間）に到達する前に、記録紙Ｐが排紙トレイ１０２から取り出される（ステップＳ６：Ｙ）、あるいは入力操作手段４から破棄処理中止の指示情報が入力されると（ステップＳ７：Ｙ）、処理ルーチンから出る。
【００５０】
一方、記録紙Ｐが排紙トレイ１０２から取り出されることなく（ステップＳ６：Ｎ）、あるいは入力操作手段４から破棄処理中止の指示情報が入力されずに（ステップＳ７：Ｎ）タイマーＴＭの値Ｔが予め設定した値Ｔ１に到達すると（ステップＳ８：Ｙ）、当該のジョブに関わる情報処理装置Ｄに「Ｔ２ーＴ１（第２の設定時間）後に排紙トレイ１０２に載置された記録紙を破棄する」旨の警告情報を送る（ステップＳ９：Ｎ、ステップＳ１０）。
【００５１】
タイマーＴＭの値Ｔが予め設定した値Ｔ２に到達しても、記録紙Ｐが排紙トレイ１０２から取り出されることなく、あるいは入力操作手段４から破棄処理中止の指示情報が入力されなかった場合には（ステップＳ６：Ｎ，ステップＳ７：Ｎ、ステップＳ９：Ｙ）、制御手段Ｃ１は、排紙収容装置Ｅの施錠手段１２１を制御することにより扉１２０の施錠を行い（ステップＳ１１）、また移送手段１３１を制御することにより、排紙トレイ１０２上に載置されている記録紙Ｐを破棄装置Ｈに送り（ステップＳ１２）、当該のジョブに関わる情報処理装置Ｄに「出力した記録紙は破棄処理をした」旨を知らせる情報を送り（ステップＳ１３）ルーチンを出る。
【００５２】
以上説明したように、本発明の画像形成装置、又は画像形成システムは、施錠手段を備えた扉を排紙収容装置に設けることによって画像出力された記録紙の不正な取り出しを防止し、また、排紙収容装置に載置された機密文書を所定時間経過後に自動的に破棄することによって、機密文書の長時間放置による機密漏洩を防止すると共に画像形成装置を次のジョブの受け付け可能な状態にすることができる。
【００５３】
なお、画像形成装置に排紙収容装置Ｅ、及び破棄装置Ｈを接続して画像形成システムとするか、又は排紙収容装置Ｅ、及び破棄装置Ｈの機能を画像形成装置内に取り込み一つの画像形成装置とするかは、設計時に適宜に決定されるものである。
【００５４】
また、各装置の扉の数と配置、及び、これらの扉の施錠と解錠のタイミングも同様に、画像形成システム、又は画像形成装置の構造と構成により変わるものである。
【図面の簡単な説明】
【００５５】
【図１】画像形成装置と、破棄装置と、排紙収容装置とが接続された画像形成システムの概念図である。
【図２】画像形成装置及び画像形成システムの制御関係を示すブロック図である。
【図３】画像形成装置に排紙収容装置、及び破棄装置が接続された画像形成システムによる破棄処理の流れを示すフローチャートである。
【図４】画像形成装置に情報処理装置、排紙収容装置、及び破棄装置が接続された画像形成システムによる破棄処理の流れを示すフローチャートである。
【符号の説明】
【００５６】
１０２  排紙トレイ
２０１  細断手段
２０２  細断用紙収容手段
Ｇ  画像形成装置
Ｅ  排紙収容装置
Ｈ  破棄装置
Ｐ  記録紙
【図１】
2007296689.tif 000003
【図２】
2007296689.tif 000004
【図３】
2007296689.tif 000005
【図４】
2007296689.tif 000006